(57)【要約】【課題】保護フランジ付き画像センサーの提供。【解決手段】本考案は保護フランジ付き画像センサーに関わるもので、主に基板の上に、上表面と下表面を設け、上表面に第１電極を形成し、下表面に第２電極に対応する第１電極と電気接続する。チップを基板の上表面に設け、その上に検出区域と半田パッドを形成する。複数本の導線はチップの半田パッドにより基板の第１電極に電気接続する。接着剤、基板の上表面に塗布する。鏡台に側壁、環状の保護フランジおよびメスねじを設け、鏡台の側壁は接着剤により基板の上表面に接着し、保護フランジにより、チップの検出区域を囲んで、接着剤によるチップ検出区域汚染を防止する。鏡円筒にオスねじを設け、鏡台のメスねじに締めつける。【選択図】図２
0003119931.tif 000002
【実用新案登録請求の範囲】
【請求項１】
一種の保護フランジ付き画像センサーモジュール構造において、基板、チップ、複数本の導線、接着剤、鏡台及び鏡円筒を包含し、
基板に上表面と下表面を設け、上表面に第１電極を形成し、下表面に第２電極に対応する第１電極と電気接続し、
チップは基板の上表面に設け、その上に検出区域と半田パッドを形成し、
複数本の導線はチップの半田パッドにより基板の第１電極に電気接続し、
接着剤は基板の上表面に塗布し、
鏡台に側壁、環状の保護フランジおよびメスねじを設け、鏡台の側壁は接着剤により基板の上表面に接着するとき、保護フランジはチップを囲み、接着剤によるチップ検出区域の汚染を防止し、
鏡円筒はオスねじを設け、鏡台のメスねじに締めつけることを特徴とする保護フランジ付き画像センサーモジュール。
【請求項２】
鏡台一部分の側壁とこの鏡台に粘着する基板を切除し、小さい寸法のモジュールにすることを特徴とする請求項１記載の保護フランジ付き画像センサーモジュール。
【考案の詳細な説明】
【技術分野】
【０００１】
本考案はコンパクトな画像センサーモジュールに関わるもので、特に一種の製品寸法を有効に小さくできる。
【背景技術】
【０００２】
図１に示すものは、一種の画像センサーモジュール構造の断面図である。基板に上表面と下表面を設け、上表面に第１電極を形成し、下表面に第２電極に対応する第１電極と電気接続する。チップを基板の上表面に設け、その上に検出区域と半田パッドを形成する。複数本の導線はチップの半田パッドにより基板の第１電極に電気接続する。接着剤、基板の上表面に塗布する。鏡台にメスねじを設け、接着剤により基板の上表面に接着し、チップを囲む。鏡円筒にオスねじを設け、鏡台のメスねじに締めつける。
【０００３】
ただし、前記の画像センサーモジュールは接着剤を塗布するとき、接着剤量の管理がうまくいかないとき、接着剤が鏡台より露出し、仕上げたモジュールの大きさがまちまちになり、サイズの大きいモジュールを廃棄することなり、極めて浪費である。さらに、接着剤はチップを汚染しやすいため、製品の品質に影響を与える。
【０００４】
このため、本考案者は技術を絶えずに改善し、新しいものを創り出す精神に基づき、画像センサー包装を研究した結果、本考案の画像センサーモジュールを思案し、良品率の向上、製品をよりコンパクトにすることができる。
【考案の開示】
【考案が解決しようとする課題】
【０００５】
本考案の主な目的は、一種のコンパクトな画像センサーモジュールおよびその製造方法を提供し、良品率を向上し、生産コストを削減できる。
【０００６】
本考案のもう一つの目的は、一種のコンパクトな画像センサーモジュールおよびその製造方法を提供し、製品体積を小さくすることにより、コンパクトにすることを実現できる。
【０００７】
本考案は基板に上表面と下表面を設け、上表面に第１電極を形成し、下表面に第２電極に対応する第１電極と電気接続する。チップを基板の上表面に設け、その上に検出区域と半田パッドを形成する。複数本の導線はチップの半田パッドにより基板の第１電極に電気接続する。接着剤、基板の上表面に塗布する。鏡台の側壁は接着剤により、基板の上表面に接着したとき、保護フランジにより、チップの検出区域を囲んで、接着剤によるチップ検出区域汚染を防止する。鏡円筒にオスねじを設け、鏡台のメスねじに締めつける。
【課題を解決するための手段】
【０００８】
請求項１の考案は、一種の保護フランジ付き画像センサーモジュール構造において、基板、チップ、複数本の導線、接着剤、鏡台及び鏡円筒を包含し、
基板に上表面と下表面を設け、上表面に第１電極を形成し、下表面に第２電極に対応する第１電極と電気接続し、
チップは基板の上表面に設け、その上に検出区域と半田パッドを形成し、
複数本の導線はチップの半田パッドにより基板の第１電極に電気接続し、
接着剤は基板の上表面に塗布し、
鏡台に側壁、環状の保護フランジおよびメスねじを設け、鏡台の側壁は接着剤により基板の上表面に接着するとき、保護フランジはチップを囲み、接着剤によるチップ検出区域の汚染を防止し、
鏡円筒はオスねじを設け、鏡台のメスねじに締めつけることを特徴とする保護フランジ付き画像センサーモジュールとしている。
請求項２の考案は、鏡台一部分の側壁とこの鏡台に粘着する基板を切除し、小さい寸法のモジュールにすることを特徴とする請求項１記載の保護フランジ付き画像センサーモジュールとしている。
【考案の効果】
【０００９】
本考案は以下の長所がある、
（１）鏡台の側壁を切除することにより、モジュールの体積を小さくできるほか、製品寸法の一致性が取れる。
（２）鏡台の保護フランジはチップに覆うため、接着剤によるチップ検出区域への汚染を防止できる。
【考案を実施するための最良の形態】
【００１０】
図２に示すものは、本考案の保護フランジ付き画像センサーモジュールの概略図である。基板４０、チップ４２、複数本の導線４４、接着剤４６、鏡台４８、および鏡円筒５０より構成する。
【００１１】
基板４０に上表面５２と下表面５４を設け、上表面５２に第１電極５６を設け、下表面５４に、下表面５４に第２電極５８に対応する第１電極５６と電気接続する。
【００１２】
チップ４２、基板４０の上表面５２に設け、その上に検出区域６０と半田パッド６２を設ける。
【００１３】
複数本の導線４４は、チップ４２の半田パッド６２により、基板４０の第１電極５６に電気接続する。
【００１４】
接着剤４６は粘性グルーであり、基板４０の上表面５２に塗布し、第１電極５６の周りに設ける。
【００１５】
鏡台４８に側壁６３、環状の保護フランジ８５およびメスねじ６４を設け、側壁４９は接着剤４６により、基板４０の上表面５２に接着し、保護フランジ６５はチップ４０の検出区域６０を囲んで、接着剤４６によるチップ４０検出区域６０の汚染を防止する。
【００１６】
鏡円筒５０にオスねじ６６を設け、鏡台４８のメスねじ６４に締めつける。
【００１７】
図３に示すものは、本考案の保護フランジ付き画像センサーモジュールの製造組立方法である。
【００１８】
基板４０、基板４０に上表面５２と下表面５４を設け、上表面５２に第１電極５６を設け、下表面５４に、下表面に第２電極５８に対応する第１電極５６と電気接続する。
【００１９】
フランジ層４３、基板４０の上表面５２に設け、基板４０と溝４５を形成する。
【００２０】
チップ４２は基板４０の上表面５２の溝４５に設け、その上部に検出区域６０と半田パッド６２を設ける。
【００２１】
複数本の導線４４、チップ４２の半田パッド６２により、基板４０の第１電極５６に電気接続する。
【００２２】
接着剤４６は粘性グルーであり、基板４０の上表面５２に塗布する。
【００２３】
チップ４２とフランジ層４３の間に、鏡台４８を設け、鏡台４８は側壁６３、保護フランジ６５およびメスねじ６７を設け、鏡台４８の側壁は接着剤４６により、基板４０の上表面５２に設けるとき、保護フランジ６５はチップ４０の検出区域６０を囲で、接着剤４６によるチップ４０検出区域６０の汚染を防止する。鏡台４８一部の側壁６３および側壁６３に接着する基板４０を切断し、小さい寸法のモジュールにする。
【００２４】
鏡円筒５０にオスねじ６６を設け、鏡台４８のメスねじ６４に締めつける。
【００２５】
本考案は以下の長所がある、
（１）鏡台の側壁を切除することにより、モジュールの体積を小さくできるほか、製品寸法の一致性が取れる。
（２）鏡台の保護フランジはチップに覆うため、接着剤によるチップ検出区域への汚染を防止できる。
【図面の簡単な説明】
【００２６】
【図１】公知技術の画像センサーモジュールを示す図である。
【図２】本考案の保護フランジ付き画像センサーモジュールを示す図である。
【図３】本考案のフランジ付き画像センサーモジュールの製造組立方法を示す図である。
【符号の説明】
【００２７】
４０  基板
４２  チップ
４３  フランジ層
４４  複数本の導線
４５  溝
４６  接着剤
４８  鏡台
５０  鏡円筒
５２  上表面
５４  下表面
５６  第１電極
５８  第２電極
６０  検出区域
６２  半田パッド
６３  側壁
６５  保護フランジ
６７  メスねじ
【図１】
0003119931.tif 000003
【図２】
0003119931.tif 000004
【図３】
0003119931.tif 000005